(57)【特許請求の範囲】
【請求項１】
歯冠部を成形する第１凹部が形成された第１金型と、歯頸部を成形する第２凹部が形成された第２金型とのうち、前記第１凹部または前記第２凹部のいずれか一方の凹部に、情報が格納され、前記情報が非接触で読み取られる素子を埋設するための埋設用穴となる形状の突起部が形成された一方の金型と、他方の金型とを型締して、前記第１凹部と前記第２凹部とによるキャビティ内の人工歯成形用樹脂により、前記埋設用穴が形成された穴付き人工歯を成形する工程と、
前記穴付き人工歯に前記素子を格納する工程と、
前記一方の金型の代わりに前記一方の凹部の形状から前記突起部が除去された第３金型を、前記他方の金型に型締し、前記埋設用穴に人工歯成形用樹脂を充填して、前記素子を封止して、人工歯を成形する工程とを含む人工歯の製造方法。
【請求項２】
前記突起部は、前記素子が格納される板状に形成されている請求項１記載の人工歯の製造方法。
【請求項３】
前記一方の金型を前記第２金型で行い、
前記他方の金型を前記第１金型で行う請求項１または２記載の人工歯の製造方法。
【請求項４】
前記穴付き人工歯を成形する工程にて、
前記第１金型と、前記第１凹部の蓋となる第４金型とを型締めして、人工歯成形用樹脂により、歯冠部を成形する工程と、
前記第１凹部に前記歯冠部を位置させた状態で、前記第１金型と前記第２金型とを型締し、前記第２凹部とによるキャビティ内の人工歯成形用樹脂により、前記第１凹部内の歯冠部に歯頸部を成形する工程とにより、
前記穴付き人工歯を成形する請求項３記載の人工歯の製造方法。
【請求項５】
前記歯冠部を成形する工程にて、前記人工歯成形用樹脂として、歯冠成形用樹脂により前記歯冠部を成形し、
前記歯頸部を成形する工程にて、前記人工歯成形用樹脂として、歯頸成形用樹脂により前記歯頸部を成形する請求項４記載の人工歯の製造方法。
【請求項６】
前記歯冠成形用樹脂と前記歯頸成形用樹脂とを異なる色とする請求項５記載の人工歯の製造方法。
【請求項７】
前記歯頸部を成形する工程にて、
前記突起部の長さ方向に向かって、順次拡張した凹部を有する複数の金型により、順次積層することで、前記歯頸部を成形する請求項４から６のいずれかの項に記載の人工歯の製造方法。
【請求項８】
前記複数の金型により順次積層して歯頸部を成形するときに、歯頸成形用樹脂の色を積層ごとに変更する請求項７記載の人工歯の製造方法。
【請求項９】
前記埋設用穴に人工歯成形用樹脂を充填するときに、
前記埋設用穴に格納された前記素子を封止する人工歯成形用樹脂を封止用樹脂として充填した後に、前記埋設用穴の蓋となる人工歯成形用樹脂を、前記封止用樹脂と色を変更して充填する請求項１から８のいずれかの項に記載の人工歯の製造方法。
【請求項１０】
前記人工歯に、前記素子が格納されていない人工歯と識別するための識別標識を付与する請求項１から９のいずれかの項に記載の人工歯の製造方法。
【発明の詳細な説明】
【技術分野】
【０００１】
本発明は、歯冠部を成形する金型と、歯頸部を成形する金型により人工歯を成形する人工歯の製造方法に関するものである。
【背景技術】
【０００２】
事故や災害などで負傷したり死亡したりした被害者の身元を調査するのは、免許証や保険証などを携帯していない場合には困難である。このような場合に対処するために、様々な技術が開発されている（例えば、特許文献１から３参照。）。
【０００３】
特許文献１に記載された個人データ保存装置は、歯冠補綴物の穴に、氏名、血液型、既往症などの個人データを記憶させた素子を内蔵して、表側から比較的薄い蓋を被せ、その周囲をロー付け、電子ビーム溶接、あるいは接着などして密封したというものである。
【０００４】
特許文献２に記載の身分識別装置は、金属装具によって覆われ、情報を記憶したフラッシュメモリが、装置のキャリアとして用いられる歯科用クラウンの内側に配置され、削られた天然の歯冠上に配置されて、フラッシュメモリを使用者の歯の内部に隠したものである。また、特許文献２の身分識別装置は、情報が記憶されたチップを、歯科用ポストに配置したり、歯科用インプラントに配置したり、歯科用骨スクリュに配置したりすることが記載されている。
【０００５】
特許文献３に記載の有床義歯は、装着者を特定する情報が格納され、義歯床に支持された人工歯の中心部に設けた窪みに、情報を無線信号として送信する発信素子が格納され、発信素子が格納された窪みに、蓋として樹脂を充填したものである。
【先行技術文献】
【特許文献】
【０００６】
【特許文献１】特開平７−２４１３０１号公報
【特許文献２】実用新案登録第３１６５８７３号公報
【特許文献３】特開２０１３−１０９７４５号公報
【発明の概要】
【発明が解決しようとする課題】
【０００７】
特許文献１に記載された個人データ保存装置では、歯冠補綴物に切削して形成された穴に素子を内蔵させ、蓋を被せただけなので、穴の中で素子が移動して、穴の内周壁に当たり、故障するおそれがある。
【０００８】
特許文献２に記載の身分識別装置では、歯科用クラウンと削り取られた歯冠との間にフラッシュメモリを配置した場合には、フラッシュメモリから情報を読み取るときには歯科用クラウンを取り外す必要がある。また、歯科用ポストにチップを配置した場合には、歯の歯髄腔から接触型チップを取り外す必要がある。更に、歯科用インプラントや歯科用骨スクリュにチップを配置する場合には、このチップが非接触型チップであるため、チップを取り出す必要が無いが、チップを格納するものがインプラントであるため、この技術は義歯には適用できない。
【０００９】
特許文献３に記載の有床義歯では、発信素子が格納された人工歯の窪みに、蓋として樹脂を充填しているが、例えば、人工歯に窪みを切削により形成して、窪みの内面を清掃、研磨し、発信素子を入れて樹脂を充填するとなると、工程が煩雑である。また、発信素子を埋設するための窪みを切削する際に、誤って人工歯を突き抜けてしまうおそれがある。
【００１０】
そこで本発明は、情報を格納した素子を人工歯に容易に、かつ正確に格納でき、長期に渡って人工歯を使用しても、素子に対する高い信頼性を確保することができる人工歯の製造方法を提供することを目的とする。
【課題を解決するための手段】
【００１１】
本発明の人工歯の製造方法は、歯冠部を成形する第１凹部が形成された第１金型と、歯頸部を成形する第２凹部が形成された第２金型とのうち、前記第１凹部または前記第２凹部のいずれか一方の凹部に、情報が格納され、前記情報が非接触で読み取られる素子を埋設するための埋設用穴となる形状の突起部が形成された一方の金型と、他方の金型とを型締して、前記第１凹部と前記第２凹部とによるキャビティ内の人工歯成形用樹脂により、前記埋設用穴が形成された穴付き人工歯を成形する工程と、前記穴付き人工歯に前記素子を格納する工程と、前記埋設用穴に人工歯成形用樹脂を充填して、前記素子を封止して、人工歯を成形する工程とを含むことを特徴とする。
【００１２】
本発明の人工歯の製造方法によれば、素子から情報を非接触で読み取ることができるため、素子を人口歯に埋設したまま、情報を読とることができる。また、第１凹部または第２凹部のいずれか一方の凹部に、埋設用穴となる形状の突起部が形成されているため、埋設用穴の深さを、一定に、かつ正確に素子に合った大きさに形成することができる。
【００１３】
前記一方の金型の代わりに前記一方の凹部の形状から前記突起部が除去された第３金型を、前記他方の金型に型締し、前記埋設用穴に人工歯成形用樹脂を充填して、前記素子を封止して、人工歯を成形するのが望ましい。第３金型を第１金型の相手型とすることで、埋設用穴に人工歯成形用樹脂を注入することができるので、素子を完全に封止することができる。
【００１４】
前記突起部が、前記素子が格納される板状に形成されていると、板状の素子に合わせて、突起部により薄く埋設用穴を形成することができる。
【００１５】
前記一方の金型を前記第２金型で行い、前記他方の金型を前記第１金型で行うと、歯頸部に埋設用穴が形成されるため、本発明の人工歯を義歯床に配置したときに、歯頸部が義歯床に埋まるため、埋設用穴の開口部を、義歯床によって塞ぐことができる。
【００１６】
前記穴付き人工歯を成形する工程にて、前記第１金型と、前記第１凹部の蓋となる第４金型とを型締めして、人工歯成形用樹脂により、歯冠部を成形する工程と、前記第１凹部に前記歯冠部を位置させた状態で、前記第１金型と前記第２金型とを型締し、前記第２凹部とによるキャビティ内の人工歯成形用樹脂により、前記第１凹部内の歯冠部に歯頸部を成形する工程とにより、前記穴付き人工歯を成形することが望ましい。
予め、第１金型と第４金型とで歯冠部を成形しておき、次に、第１金型と第２金型とで埋設用穴が形成された歯頸部を歯冠部に追加することで、埋設用穴が正確に形成された歯頸部を歯冠部に設けることができる。
【００１７】
前記歯冠部を成形する工程にて、前記人工歯成形用樹脂として、歯冠成形用樹脂により前記歯冠部を成形し、前記歯頸部を成形する工程にて、前記人工歯成形用樹脂として、歯頸成形用樹脂により前記歯頸部を成形することが望ましい。
歯冠成形用樹脂により歯冠部を成形し、歯頸成形用樹脂により歯頸部を成形することにより、歯冠部を歯頸部より硬質の樹脂としたり、弾力性を有する樹脂としたり、樹脂の特性を変更することが可能である。
【００１８】
前記歯冠成形用樹脂と前記歯頸成形用樹脂とを異なる色とすると、素子を埋設した人工歯を他の人工歯と識別しやすい。
【００１９】
前記突起部の長さ方向に向かって、順次拡張した凹部を有する複数の金型により、順次積層することで、前記歯頸部を成形することが望ましい。歯頸部を複数の金型により、歯頸成形用樹脂の種類を変更しながら積層して成形することができる。
【００２０】
前記複数の金型により順次積層して歯頸部を成形するときに、歯頸成形用樹脂の色を積層ごとに変更することが望ましい。歯頸成形用樹脂の色を積層ごとに変更すると、素子を埋設した人工歯を他の人工歯と識別する際に、歯頸成形用樹脂の色の組み合わせで表示することができる。
【００２１】
前記埋設用穴に人工歯成形用樹脂を充填するときに、前記埋設用穴に格納された前記素子を封止する人工歯成形用樹脂を封止用樹脂として充填した後に、前記埋設用穴の蓋となる人工歯成形用樹脂を、前記封止用樹脂と色を変更して充填することが望ましい。
埋設用穴の蓋となる人工歯成形用樹脂を、封止用樹脂と異なる色とすることで、歯科医師および歯科技工士が人工歯を切削加工するときに、蓋となる人工歯成形用樹脂を切削しすぎて素子に到達して破壊してしまう前に、封止用樹脂が露出するため、過度な切削を防止することができる。
【００２２】
前記人工歯に、前記素子が格納されていない人工歯と識別するための識別標識を付与すると、素子を格納した人工歯を一目で識別することができる。
【発明の効果】
【００２３】
本発明の人工歯の製造方法によれば、埋設用穴の深さを、一定に、かつ正確に素子に合った大きさに形成することができ、この素子を人工歯成形用樹脂により素子を完全に封止することができるため、情報を格納した素子を人工歯に容易に、かつ正確に格納でき、長期に渡って人工歯を使用しても、素子に対する高い信頼性を確保することができる。
【図面の簡単な説明】
【００２４】
【図１】本発明の実施の形態１に係る人工歯の製造方法により作製された人工歯を示す斜視図である。
【図２】図１に示す人工歯を製造するための第１金型から第３金型を説明するための断面図である。
【図３】図２に示す第１金型と第２金型とを型締めして人工歯成形用樹脂を注入する工程を説明するための断面図である。
【図４】穴付き人工歯の断面図である。
【図５】図４に示す穴付き人工歯に素子を格納する工程を説明するための断面図である。
【図６】図５に示す穴付き人工歯に格納した素子を封止する工程を説明するための断面図である。
【図７】本発明の実施の形態２に係る人工歯の製造方法による第１金型から第３金型を説明するための断面図である。
【図８】本発明の実施の形態３に係る人工歯の製造方法による第１金型と第４金型とを型締めする工程を説明するための断面図である。
【図９】図８に続く工程を示す図であり、第１金型に第２金型を型締めする工程を説明するための断面図である。
【図１０】図９に続く工程を示す図であり、第１金型に第３金型を型締めする工程を説明するための断面図である。
【図１１】本発明の実施の形態４に係る人工歯の製造方法による第１金型と第５金型とを型締めする工程を説明するための断面図である。
【図１２】図１１に続く工程を示す図であり、第１金型に第６金型を型締めする工程を説明するための断面図である。
【図１３】図１２に続く工程を示す図であり、第１金型に第７金型を型締めする工程を説明するための断面図である。
【図１４】図１３に続く工程を示す図であり、第１金型に第８金型を型締めする工程を説明するための断面図である。
【図１５】本発明の実施の形態５に係る人工歯の製造方法による第１金型と第３金型とを型締めして、人工歯成形用樹脂を注入する工程を説明するための断面図である。
【図１６】本発明の実施の形態６に係る人工歯を示す断面図である。
【図１７】図１６に示す人工歯を製造するときに、第１金型と第２金型とを型締めして、識別用樹脂を注入する工程を説明するための断面図である。
【図１８】図１７に続く工程を示す図であり、第１金型に第３金型を型締めする工程を説明するための断面図である。
【発明を実施するための形態】
【００２５】
（実施の形態１）
本発明の実施の形態１に係る人工歯の製造方法を図面に基づいて説明する。
図１に示す人工歯１００は、図２に示す第１金型１０と、第２金型２０と、第３金型３０とにより成形される。
【００２６】
第１金型１０には、歯冠部１１０を成形する第１凹部１１が形成されている。第２金型２０および第３金型３０には、歯頸部１２０を成形する第２凹部２１が形成されている。そして、第２金型２０の第２凹部２１には、突起部２２が形成されている。第３金型３０の第２凹部２１には、第２金型２０に形成された突起部２２が無く、除去された状態である。
【００２７】
この突起部２２は、情報が非接触で読み取られる素子１３０を埋設するための埋設用穴となる形状に形成されている。本実施の形態では、素子１３０の薄板状に合わせて、開口部が細長の長方形状に形成されている。
また、第２金型２０には、餅状の人工歯成形用樹脂をキャビティＣＶに充填し、第１金型１０と第２金型２０との型締めしたときに、第１凹部１１と第２凹部２１とによりできるキャビティＣＶから溢れる余剰の人工歯成形用樹脂を流出させるための流路２３が形成されている。
【００２８】
第３金型３０の第２凹部２１には、第２金型２０の突起部２２が立設された位置に、第１凹部１１と第２凹部２１とによりできるキャビティＣＶへ人工歯成形用樹脂を充填するための流路３１が形成されている。
【００２９】
作業者は、このように形成された第１金型１０（他方の金型）の第１凹部１１（他方の凹部）と、第２金型２０（一方の金型）の第２凹部２１（一方の凹部）とによりできたキャビティＣＶに人工歯成形用樹脂を詰め、第１金型１０と第２金型２０とを型締めする。第１金型１０と第２金型２０とを型締めすることで、キャビティＣＶから溢れた余剰の人工歯成形用樹脂が流路２３から流出する（図３参照）。そして、作業者は、第１金型１０と第２金型２０とを型開きする。そうすることで、キャビティＣＶに、図４に示すような穴付き人工歯１０１が成形される。この穴付き人工歯１０１には、第２金型２０の第２凹部２１に立設された突起部２２の位置に、埋設用穴１１１が形成される。
【００３０】
次に、作業者は、図５に示すように、穴付き人工歯１０１に形成された埋設用穴１１１に、素子１３０を格納する。
この素子１３０は、情報が非接触で読み取られる情報格納素子である。例えば、素子１３０は、非接触式のパッシブダグ型のＲＦＩＤタグとすることができる。素子１３０には、データベースに登録された個人情報と関連付けられていることで、個人を間接的に特定するための識別情報（ＩＤ情報）が格納されている。また、素子１３０の記憶容量が十分である場合には、個人を特定するための識別情報の他に、氏名、住所、生年月日、性別、血液型、治療に掛かった歯科医院を特定する病院名や病院を識別するコードなどの個人情報を素子１３０に格納することができる。更に、素子１３０の記憶容量に余裕がある場合には、連絡先となる家族や病歴、投薬歴のほか社会歴、家族歴などが格納できる。特に、装着者が認知症を患っている場合には、素子１３０に連絡先となる家族に関する情報が格納されていると、徘徊する装着者の身元がすぐに確認でき、家族に連絡を取ったり、装着者の治療の許可を得るときに、すぐに連絡を取ったりすることができる。素子１３０は、図示しない情報読取装置から電波が照射されて起電力を得ることで、素子１３０内に記憶させた各種情報を情報読取装置へ送信して、電気的に情報が読み取られる。
【００３１】
次に、作業者は、素子１３０が格納された埋設用穴１１１に人工歯成形用樹脂を充填する。この作業は、作業者が手動で、穴付き人工歯１０１の埋設用穴１１１に人工歯成形用樹脂を充填してもよい。この場合、素子１３０が格納された埋設用穴１１１全体に人工歯成形用樹脂が入り込むように、流動性の高い人工歯成形用樹脂を使用するのが望ましい。
【００３２】
また、作業者は、第３金型によって人工歯成形用樹脂を、流路埋設用穴１１１に充填することも可能である。
図６に示すように、第１金型１０の第１凹部１１に穴付き人工歯１０１の歯冠部１１０を嵌め込んだ状態で、第３金型３０の第２凹部２１に人工歯１００の歯頸部１２０を嵌め込む。そして、作業者は、第３金型３０の流路３１からキャビティＣＶに人工歯成形用樹脂を充填する。流路３１は、第２金型２０の突起部２２が立設された位置（図２参照）に形成されているため、人工歯成形用樹脂は、埋設用穴１１１に充填される。
人工歯成形用樹脂が埋設用穴１１１に充填されることで、埋設用穴１１１に格納された素子１３０が封止され、図１に示す人工歯１００が作製される。
【００３３】
このように、第２金型２０の第２凹部２１に、埋設用穴１１１となる形状の突起部２２が形成されているため、埋設用穴１１１の深さを一定に、かつ正確に素子１３０に合った大きさに形成することができる。また、第３金型３０を第１金型１０の相手型とすることで、埋設用穴１１１に人工歯成形用樹脂を充填することができるので、完全に素子１３０を封止することができる。
従って、本実施の形態１に係る人工歯１００の製造方法は、情報を格納した素子１３０を人工歯１００に容易に、かつ正確に格納でき、長期に渡って人工歯１００を使用しても、素子１３０に対する高い信頼性を確保することができる。
【００３４】
また、突起部２２が、素子１３０が格納される板状に形成されているため、板状の素子１３０に合わせて、突起部２２により薄く埋設用穴１１１を形成することができる。従って、ドリルなどでは大きく円筒形状に穿孔穴が形成されてしまうが、穴付き人工歯１０１では、埋設用穴１１１を薄く板形状に、かつ表面を滑らかに成形することができる。
【００３５】
また、第１金型１０と第２金型２０とによる穴付き人工歯１０１を成形するときの人工歯成形用樹脂と、第１金型１０と第３金型３０とによる素子１３０の封止をするときの人工歯成形用樹脂とを同じ材質のものを使用することで、素子１３０を封止する人工歯成形用樹脂を穴付き人工歯１０１に境目無く固化させることができる。従って、人工歯１００は、埋設用穴１１１に充填された人工歯成形用樹脂を穴付き人工歯１０１に密着した状態で、素子１３０を封止することができる。
【００３６】
また、人工歯１００の成形について、一方の金型を第２金型２０とし、他方の金型を第１金型１０とすることにより、歯頸部１２０に埋設用穴が形成されるため、人工歯１００を義歯床に配置したときに、歯頸部１２０が義歯床に埋まるため、埋設用穴１１１の開口部を、義歯床によって塞ぐことができる。
更に、素子１３０から情報を非接触で読み取ることができるため、素子１３０を人口歯１００に埋設したまま、情報を読とることができる。
【００３７】
なお、本実施の形態１では、穴付き人工歯１０１を成形する際に、餅状の人工歯成形用樹脂を使用していため、予めキャビティＣＶに餅状の人工歯成形用樹脂を充填した後に、第１金型１０と第２金型２０とを型締めして、余剰の人工歯成形用樹脂を流路２３から流出させていた。しかし、人工歯成形用樹脂の粘性が低く、流動性が高いものであれば、第１金型１０と第２金型２０との型締めした後に、流路２３から人工歯成形用樹脂をキャビティＣＶに注入してもよい。また、以下の実施の形態においても、同様に、金型に形成された流路から、人工歯成形用樹脂をキャビティへ向けて充填してもよい。
【００３８】
（実施の形態２）
本発明の実施の形態２に係る人工歯の製造方法を図面に基づいて説明する。本実施の形態２に係る人工歯の製造方法では、歯冠部に素子を格納する埋設用穴が形成されている。
図７に示すように、本実施の形態２に係る人工歯の製造方法では、第１金型１０ａ（一方の金型）と、第２金型２０ａ（他方の金型）と、第３金型３０ａとにより成形している。
第１金型１０ａは、第１凹部１１（一方の凹部）に埋設用穴を形成するための突起部１２が設けられている。従って、第２金型２０ａの第２凹部２１（他方の凹部）には、図２に示すような突起部２２は設けられていない。そして、第３金型３０ａは、第１金型１０ａから突起部１２を除去した形状に形成され、突起部１２が形成された位置に、人工歯成形用樹脂を充填するための流路１３が形成されている。
【００３９】
このように、第１金型１０ａ、第２金型２０ａおよび第３金型３０ａが形成されていることで、第１金型１０ａと第２金型２０ａとより、歯冠部に埋設用穴が形成された穴付き人工歯を成形し、穴付き人工歯に形成された埋設用穴に素子１３０（図１参照）を格納し、そして、第１金型１０ａの代わりに第３金型３０ａにより、素子１３０を封止することで、実施の形態１と同様に、素子１３０を格納した人工歯を作製することができる。
【００４０】
（実施の形態３）
本発明の実施の形態３に係る人工歯の製造方法を図面に基づいて説明する。本実施の形態３に係る人工歯の製造方法では、まず、歯冠部を成形し、次に、歯冠部に歯頸部を追加することで人工歯を作製する。なお、図８から図１０においては、図２にと同じ構成のものは同符号を付して説明を省略する。
【００４１】
図８に示すように、本実施の形態３に係る人工歯の製造方法では、まず、作業者は、第１金型１０（一方の金型）と、第４金型４０とにより形成されるキャビティＣＶに、餅状の人工歯成形用樹脂を充填し、第１金型１０と第４金型４０とを型締めすることで、溢れた余剰の人工歯成形用樹脂を第４金型４０の流路４１から流出させて、歯冠部１１０（図１参照）を成形する。
第４金型４０には、凹部が形成されていないため、第１金型１０と第４金型４０とを型締めしたときには、第１金型１０の第１凹部１１がキャビティＣＶとなる。
【００４２】
このとき、人工歯成形用樹脂として、歯冠成形用樹脂を、キャビティＣＶに注入する。歯冠部１１０を成形する歯冠成形用樹脂は、歯頸部１２０（図１参照）より硬質で、耐摩耗性に優れたものが使用できる。
【００４３】
図９に示すように、次に、作業者は、第１金型１０の第１凹部１１に歯冠部１１０を位置させた状態で、第２凹部２１によるキャビティＣＶに人工歯成形用樹脂を充填して、第１金型１０と第２金型２０とを型締する。第１金型１０と第２金型２０とを型締することで、第１凹部１１内の歯冠部１１０に歯頸部１２０が一体的に成形され、キャビティＣＶから溢れた余剰の人工歯成形用樹脂が流路２３から流出する。
このとき、人工歯成形用樹脂として、歯頸成形用樹脂を、キャビティＣＶに注入する。歯頸部１２０を成形する歯頸成形用樹脂は、歯冠部１１０（図１参照）を成形する歯冠成形用樹脂より明度を明るくしたり、暗くしたりすることができる。
【００４４】
第１金型１０と第２金型２０とにより穴付き人工歯１０１（図４参照）が成形されると、作業者は、穴付き人工歯１０１に形成された埋設用穴１１１に素子１３０（図５参照）を格納する。
第２金型２０の突起部２２により形成された埋設用穴１１１に、素子１３０が格納されると、作業者は、図１０に示すように、第３金型３０の流路３１から歯頸成形用樹脂を注入して、埋設用穴１１１に格納された素子１３０を封止する。この場合においても、穴付き人工歯１０１の歯頸部１２０を成形する歯頸成形用樹脂と、埋設用穴１１１に充填される歯頸成形用樹脂は同じ材質のものを使用するのが望ましい。
【００４５】
歯冠部１１０と歯頸部１２０とを別々に、歯冠成形用樹脂と歯頸成形用樹脂とを用いて、それぞれを成形することにより、歯冠部１１０または歯頸部１２０として、それぞれに適した樹脂を使用することができる。また、歯冠成形用樹脂と歯頸成形用樹脂とについて、異なる色に着色された人工歯成形用樹脂を使用することで、歯冠部１１０と歯頸部１２０とが異なる色に形成されるため、素子１３０を埋設した人工歯１００を他の人工歯と識別しやすい。
【００４６】
なお、本実施の形態２では、第１金型１０と第４金型４０との突き合わせ部分が直線状に形成されているが、突き合わせ部分に凹凸を付けて、歯冠部１１０と歯頸部１２０との密着度合いを向上させてもよい。
【００４７】
（実施の形態４）
本発明の実施の形態４に係る人工歯の製造方法を図面に基づいて説明する。本実施の形態４に係る人工歯の製造方法では、実施の形態３と同様に、まず、歯冠部を成形し、次に、歯冠部に歯頸部を追加することで人工歯を作製するが、歯頸部を複数段階で成形する。なお、図１１から図１３においては、図２にと同じ構成のものは同符号を付して説明を省略する。
【００４８】
まず、作業者は、図８に示すように、第１金型１０と、第４金型４０とより、歯冠部１１０を成形する。
次に、作業者は、突起部２２（図２参照）の長さ方向に向かって、順次拡張した凹部を有する複数の金型により、歯頸部１２０を順次積層して成形する。
第２金型２０による第２凹部２１が、例えば、図１１から図１４では、４つの金型（第５金型５０〜第８金型８０）により順次範囲を拡大しながら形成されている。
【００４９】
図１１に示すように、第５金型５０には、第５凹部５１が形成されている。また、第５金型５０には、第５凹部５１から歯頸成形用樹脂を流出させるための流路５２が形成されている。第５凹部５１には、突起部２２（図２参照）の先端部が、突起部２２ａとして突出している。
【００５０】
図１２に示すように、第６金型６０には、第６凹部６１が形成されている。また、第６金型６０には、第６凹部６１から歯頸成形用樹脂を流出させるための流路６２が形成されている。第６凹部６１には、突起部２２（図２参照）の先端部と中間部とを合わせた長さのものが、突起部２２ｂとして突出している。
【００５１】
図１３に示すように、第７金型７０には、第７凹部７１が形成されている。また、第７金型７０には、第７凹部７１から歯頸成形用樹脂を流出させるための流路７２が形成されている。第７凹部７１には、突起部２２（図２参照）と同じものが、突起部２２ｃとして突出している。
【００５２】
図１４に示すように、第８金型８０には、第８凹部８１が形成されている。また、第８金型８０には、第８凹部８１から歯頸成形用樹脂を流出させるための流路８２が形成されている。第８凹部８１には、突起部２２（図２参照）と同じものが、突起部２２ｃとして突出している。第８金型８０の第８凹部８１は、第２金型２０の第２凹部２１と同じ形状であるが、流路８２の位置が流路２３と異なる。これは、図１１に示す第５金型５０から図１３に示す第７金型７０までにより成形された歯頸部により、流路２３の位置が塞がれてしまうからである。従って、流路８２は、第８凹部８１により成形される歯頸部１２０（図４参照）の先端部に位置している。
【００５３】
次に、これらの第５金型５０〜第８金型８０による歯頸部の成形方法について、説明する。
図１１に示すように、作業者は、第５金型５０の第５凹部５１に歯頸成形用樹脂を充填して、第１金型１０により成形された歯冠部１１０に被せるようにして第１金型１０に型締めして、第５凹部５１から溢れた余剰の歯頸成形用樹脂を流路５２から流出させることで、歯冠部１１０側となる第１歯頸部１２０ａが成形される。
次に、図１２に示すように、作業者は、第６凹部６１に歯頸成形用樹脂を充填した第６金型６０を、第５金型５０の代わりに、第１金型１０に型締めして、第６凹部６１から溢れた余剰の歯頸成形用樹脂を流路６２から流出させることで、第１歯頸部１２０ａに第２歯頸部１２０ｂ（図１３参照）が積層される。
【００５４】
次に、図１３に示すように、作業者は、第７凹部７１に歯頸成形用樹脂を充填した第７金型７０を、第６金型６０の代わりに、第１金型１０に型締めして、第７凹部７１から溢れた余剰の歯頸成形用樹脂を流路７２から流出させることで、第２歯頸部１２０ｂに第３歯頸部１２０ｃ（図１４参照）が積層される。
次に、図１４に示すように、作業者は、第８凹部８１に歯頸成形用樹脂を充填した第８金型８０を、第７金型７０の代わりに、第１金型１０に型締めして、第８凹部８１から溢れた余剰の歯頸成形用樹脂を流路８２から流出させることで、第３歯頸部１２０ｃに第４歯頸部（図示せず）が積層されて、図４に示す穴付き人工歯１０１が成形される。後の工程は、実施の形態１と同じであるため省略する。
【００５５】
このように複数の金型（第５金型５０〜第８金型８０）の順次拡張した凹部（第５凹部５１から第８凹部８１）により、段階的に歯頸部１２０を成形することで、歯頸成形用樹脂の種類を変更しながら積層して成形することができるため、自然の歯牙に合わせて第１歯頸部１２０ａから第４歯頸部に向かって徐々に明度を低くすることができる。また、歯頸成形用樹脂の色を積層ごとに変更して、歯頸成形用樹脂の色の組み合わせにより、素子１３０を埋設した人工歯と、他の人工歯と識別する際の表示にすることができる。
【００５６】
なお、本実施の形態４では、歯頸部１２０を４つの金型（第５金型５０〜第８金型８０）により、４段階で成形しているが、歯頸部１２０を２つまたは３つの金型により２層または３層で積層してもよいし、５つ以上の金型で積層してもよい。
【００５７】
（実施の形態５）
本発明の実施の形態５に係る人工歯の製造方法を図面に基づいて説明する。本実施の形態５に係る人工歯の製造方法では、素子を格納する埋設用穴に人工歯成形用樹脂（歯頸成形用樹脂）を注入する際に、人工歯成形用樹脂を色分けして注入する。
なお、図１５においては、図６と同じ構成のものは同符号を付して説明を省略する。
【００５８】
図１５に示す素子１３０を埋設用穴１１１に格納した穴付き人工歯１０１が、第１金型１０と、第３金型３０とにより型締めされている。
そして、第３金型３０の流路３１から人工歯成形用樹脂（歯頸成形用樹脂）を注入するときに、まず、素子１３０を覆う程度の歯頸成形用樹脂を封止用樹脂１１２として注入する。このときの歯頸成形用樹脂（封止用樹脂１１２）は、例えば、赤色、青色、緑色、黒色などが使用する。
【００５９】
次に、埋設用穴１１１の蓋となる人工歯成形用樹脂（歯頸成形用樹脂）を注入して、完全に素子１３０を覆う。このとき、蓋となる歯頸成形用樹脂をカバー用樹脂１１３として、封止用樹脂１１２の色と異なる色に変更して注入する。カバー用樹脂１１３は、例えば、自然歯と同色とすることができる。
カバー用樹脂１１３を、封止用樹脂１１２と異なる色とすることで、歯科医師や歯科技工士が人工歯を切削加工するときに、カバー用樹脂１１３を切削しすぎて素子１３０に到達して破壊してしまう前に、封止用樹脂１１２が露出するため、過度な切削を防止することができる。
【００６０】
なお、本実施の形態５では、実施の形態１での人工歯１００を例に説明したが、実施の形態２（図７参照）、実施の形態３（図１０参照）、実施の形態４（図１４参照）においても、素子を格納した埋設用穴に人工歯成形用樹脂を注入する際には、本実施の形態５と同様に、色を変更することが可能である。
【００６１】
（実施の形態６）
本発明の実施の形態６に係る人工歯の製造方法を図面に基づいて説明する。本実施の形態６に係る人工歯の製造方法では、素子を格納した人工歯に、素子が格納されていない人工歯と識別するための識別標識を付与する。
なお、図１６においては図５と、図１７においては図３と、図１８においては図６と同じ構成のものは同符号を付して説明を省略する。
【００６２】
図１６に示すように人工歯１００ａには、素子１３０が格納されていることを示す識別標識１０２が形成されている。
この識別標識１０２は、穴付き人工歯１０１ａの舌側であって、義歯にしたときに、床部から露出する位置に形成されている。
識別標識１０２は、穴付き人工歯１０１ａに形成された凹部１０２ａに穴付き人工歯１０１を成形した人工歯成形用樹脂と異なる色の識別用樹脂１０２ｂを注入したものである。
穴付き人工歯１０１ａが自然歯と同色で形成されているときには、識別用樹脂１０２ｂは、例えば、赤色、青色、緑色、黒色などとすることができる。
このように、人工歯１００ａに識別標識１０２が付与されていることで、歯科医師や歯科技工士が、素子１３０が格納された人工歯と、素子１３０が格納されていない人工歯と、容易に識別することができる。
【００６３】
この凹部１０２ａは、図１７に示すように、突起部２２を第１突起部として、第１突起部と共に、棒状の第２突起部２４を第２凹部２１内に突出させた第２金型２０ｂを使用することで、穴付き人工歯１０１ａに、埋設用穴１１１と共に、凹部１０２ａを形成することができる。
【００６４】
そして、凹部１０２ａに識別用樹脂１０２ｂを注入するときには、穴付き人工歯１０１ａを第１金型１０と第３金型３０ｂにより型締めする。
第３金型３０ｂには、穴付き人工歯１０１ａの凹部１０２ａに繋がる流路３１が形成されている。この流路３１から識別用樹脂１０２ｂを注入する。そうすることで、穴付き人工歯１０１ａに識別標識１０２を形成することができる。
【００６５】
図１７および図１８では、第２金型２０ｂおよび第３金型３０ｂにより、凹部１０２ａを形成すると共に、凹部１０２ａに識別用樹脂１０２ｂを注入していたが、図５に示す穴付き人工歯１０１にドリルなどで切削して凹部を形成した後に、識別用樹脂を垂らしたり、注入したりして充填してもよい。
なお、本実施の形態５では、識別標識１０２が義歯の床部から露出する位置に形成されているが、床部から識別標識１０２が透けて見えれば、識別標識１０２を床部に隠れる位置に形成してもよい。
【産業上の利用可能性】
【００６６】
本発明に係る人工歯の製造方法は、総義歯や部分義歯などの有床義歯に用いられる人工歯に好適である。
【符号の説明】
【００６７】
１０，１０ａ  第１金型
１１  第１凹部
１２  突起部
１３  流路
２０，２０ａ，２０ｂ  第２金型
２１  第２凹部
２２，２２ａ,２２ｂ，２２ｃ  突起部
２３  流路
２４  第２突起部
３０，３０ａ，３０ｂ  第３金型
３１  流路
３２  第２流路
４０  第４金型
４１  流路
５０  第５金型
５１  第５凹部
５２  流路
６０  第６金型
６１  第６凹部
６２  流路
７０  第７金型
７１  第７凹部
７２  流路
８０  第８金型
８１  第８凹部
８２  流路
２２ａ〜２２ｃ  突起部
１００，１００ａ  人工歯
１０１，１０１ａ  穴付き人工歯
１０２  識別標識
１０２ａ  凹部
１０２ｂ  識別用樹脂
１１０  歯冠部
１１１  埋設用穴
１１２  封止用樹脂
１２０  歯頸部
１２０ａ  第１歯頸部
１２０ｂ  第２歯頸部
１２０ｃ  第３歯頸部
１３０  素子
ＣＶ  キャビティ
【図１】
0006388508.tif 000002
【図２】
0006388508.tif 000003
【図３】
0006388508.tif 000004
【図４】
0006388508.tif 000005
【図５】
0006388508.tif 000006
【図６】
0006388508.tif 000007
【図７】
0006388508.tif 000008
【図８】
0006388508.tif 000009
【図９】
0006388508.tif 000010
【図１０】
0006388508.tif 000011
【図１１】
0006388508.tif 000012
【図１２】
0006388508.tif 000013
【図１３】
0006388508.tif 000014
【図１４】
0006388508.tif 000015
【図１５】
0006388508.tif 000016
【図１６】
0006388508.tif 000017
【図１７】
0006388508.tif 000018
【図１８】
0006388508.tif 000019